(57)【要約】【課題】被記録媒体を粘着性ベルトにより搬送する記録装置において、被記録媒体を粘着性ベルトに支持させた状態で待機することにより被記録媒体に粘着剤が貼り付くことを抑制する。【解決手段】被記録媒体Ｐを粘着剤が塗られた支持面Ｆで支持して搬送可能な粘着性ベルト１０と、支持面Ｆに支持された被記録媒体Ｐに記録可能な記録機構４と、支持面Ｆに支持された被記録媒体Ｐを支持面Ｆから剥して支持面Ｆと対向する位置に浮かせることが可能な剥離部２，１８と、被記録媒体Ｐを支持面Ｆから剥して支持面Ｆと対向する位置に浮かせる条件に該当するか否かを判断し、前記条件に該当すると判断した場合に、被記録媒体Ｐを支持面Ｆから剥して支持面Ｆと対向する位置に浮かせることを実行するよう剥離部２，１８を制御する制御部２０と、を備える。【選択図】図２
2014172692.tif 000002
【特許請求の範囲】
【請求項１】
被記録媒体を粘着剤が塗られた支持面で支持して搬送可能な粘着性ベルトと、
前記支持面に支持された前記被記録媒体に記録可能な記録機構と、
前記支持面に支持された前記被記録媒体を前記支持面から剥して前記支持面と対向する位置に浮かせることが可能な剥離部と、
前記被記録媒体を前記支持面から剥して前記支持面と対向する位置に浮かせる条件に該当するか否かを判断し、前記条件に該当すると判断した場合に、前記被記録媒体を前記支持面から剥して前記支持面と対向する位置に浮かせることを実行するよう前記剥離部を制御する制御部と、を備えることを特徴とする記録装置。
【請求項２】
請求項１に記載の記録装置において、
前記剥離部は、
前記被記録媒体の搬送方向において前記支持面よりも上流側に設けられ、前記被記録媒体のうち前記支持面に繰り出す部分を支持可能な第１支持部と、
前記被記録媒体の搬送方向において前記支持面よりも下流側に設けられ、前記被記録媒体のうち前記支持面から繰り出された部分を支持可能な第２支持部と、
前記支持面に支持された前記被記録媒体を前記第１支持部側及び前記第２支持部側の少なくとも一方から引っ張ることが可能な引張部と、を有することを特徴とする記録装置。
【請求項３】
請求項１又は２に記載の記録装置において、
前記制御部は、前記条件としての前記記録機構による記録終了からの経過時間に基づいて、前記被記録媒体を前記支持面から剥して前記支持面と対向する位置に浮かせるか否かを判断することを特徴とする記録装置。
【請求項４】
請求項３に記載の記録装置において、
温度センサーを備え、
前記制御部は、前記温度センサーによる検出温度に基づいて、前記条件となる前記経過時間を変更することを特徴とする記録装置。
【請求項５】
請求項３又は４に記載の記録装置において、
前記制御部は、前記被記録媒体の搬送方向と交差する幅方向の長さに基づいて、前記条件となる前記経過時間を変更することを特徴とする記録装置。
【請求項６】
請求項３から５のいずれか１項に記載の記録装置において、
前記制御部は、前記被記録媒体のうち前記支持面に支持された部分が前記記録機構により記録済の場合は、前記支持面に支持された部分が前記記録機構により未記録の場合よりも、前記条件となる前記経過時間が長くなるように変更することを特徴とする記録装置。
【請求項７】
請求項１から６のいずれか１項に記載の記録装置において、
前記剥離部は、前記被記録媒体を前記支持面と対向する位置に浮かせた際に、前記被記録媒体と前記記録機構とが非接触となるように構成されていることを特徴とする記録装置。
【請求項８】
請求項１から６のいずれか１項に記載の記録装置において、
前記被記録媒体を前記支持面と対向する位置に浮かせた際に、前記被記録媒体と前記記録機構との接触を抑制する接触抑制部を備えることを特徴とする記録装置。
【請求項９】
請求項１から８のいずれか１項に記載の記録装置において、
前記剥離部が前記被記録媒体を前記支持面から剥して前記支持面と対向する位置に浮かせることを報知する報知部を備えることを特徴とする記録装置。
【請求項１０】
被記録媒体を粘着剤が塗られた支持面で支持して搬送可能な粘着性ベルトと、前記支持面に支持された前記被記録媒体に記録可能な記録機構と、前記支持面に支持された前記被記録媒体を前記支持面から剥して前記支持面と対向する位置に浮かせることが可能な剥離部と、を備える記録装置の待機方法であって、
前記被記録媒体を前記支持面から剥して前記支持面と対向する位置に浮かせる条件に該当するか否かを判断する判断工程と、
前記判断工程で前記条件に該当すると判断した場合に、前記被記録媒体を前記支持面から剥して前記支持面と対向する位置に浮かせる剥離工程と、を有することを特徴とする待機方法。
【発明の詳細な説明】
【技術分野】
【０００１】
本発明は、被記録媒体を粘着性ベルトにより搬送する搬送機構を備える記録装置及び該記録装置の待機方法に関する。
【背景技術】
【０００２】
従来から、被記録媒体を移動式ベルトに載置して搬送する搬送機構を備える記録装置が使用されている。このような記録装置のうち、移動式ベルトとして被記録媒体の載置面に該被記録媒体を剥離可能に接着して保持する粘着剤が塗られた粘着性ベルトを備える記録装置が開示されている。例えば、特許文献１には、被記録媒体を粘着固定して搬送する無端ベルトを備える記録装置が開示されている。
【先行技術文献】
【特許文献】
【０００３】
【特許文献１】特開平１１−１９２６９４号公報
【発明の概要】
【発明が解決しようとする課題】
【０００４】
しかしながら、このような被記録媒体を粘着性ベルトにより搬送する記録装置においては、被記録媒体を粘着性ベルトに支持させた状態で数日間待機することにより、被記録媒体に粘着剤が貼り付き、被記録媒体を粘着性ベルトから剥す際に被記録媒体が傷んだり粘着性ベルトから粘着剤が剥がれたりする場合があった。
【０００５】
そこで、本発明の目的は、被記録媒体を粘着性ベルトにより搬送する記録装置において、被記録媒体を粘着性ベルトに支持させた状態で待機することにより被記録媒体に粘着剤が貼り付くことを抑制することである。
【課題を解決するための手段】
【０００６】
上記課題を解決するための本発明の第１の態様の記録装置は、被記録媒体を粘着剤が塗られた支持面で支持して搬送可能な粘着性ベルトと、前記支持面に支持された前記被記録媒体に記録可能な記録機構と、前記支持面に支持された前記被記録媒体を前記支持面から剥して前記支持面と対向する位置に浮かせることが可能な剥離部と、前記被記録媒体を前記支持面から剥して前記支持面と対向する位置に浮かせる条件に該当するか否かを判断し、前記条件に該当すると判断した場合に、前記被記録媒体を前記支持面から剥して前記支持面と対向する位置に浮かせることを実行するよう前記剥離部を制御する制御部と、を備えることを特徴とする。
【０００７】
ここで、「前記被記録媒体を前記支持面から剥して前記支持面と対向する位置に浮かせる条件」とは、例えば、前記記録機構による記録終了からの経過時間、環境温度及び環境湿度等を意味する。また、「条件に該当するか否かを判断し」とは、例えば、該条件が前記経過時間である場合はタイマーによって計測された前記時間が予め定められた閾値以上となったか否かにより判断することが挙げられる。また、該条件が環境温度又は環境湿度である場合は温度センサー又は湿度センサーによって検出された温度又は湿度が予め定められた閾値以上となったか否かにより判断することが挙げられる。また、前記制御部への該条件の入力は、前記タイマー、温度センサー及び湿度センサーからの入力のほか、ユーザーからのユーザーインターフェースを介しての入力でもよい。
【０００８】
本態様によれば、前記条件に該当すると判断した場合に、被記録媒体を支持面から剥して支持面と対向する位置に自動で浮かせることが可能である。すなわち、前記条件を、被記録媒体を粘着性ベルトに支持させた状態で待機することにより被記録媒体に粘着剤が貼り付く条件とすることにより、被記録媒体に粘着剤が貼り付くことを抑制することができる。
【０００９】
本発明の第２の態様の記録装置は、前記第１の態様において、前記剥離部は、前記被記録媒体の搬送方向において前記支持面よりも上流側に設けられ、前記被記録媒体のうち前記支持面に繰り出す部分を支持可能な第１支持部と、前記被記録媒体の搬送方向において前記支持面よりも下流側に設けられ、前記被記録媒体のうち前記支持面から繰り出された部分を支持可能な第２支持部と、前記支持面に支持された前記被記録媒体を前記第１支持部側及び前記第２支持部側の少なくとも一方から引っ張ることが可能な引張部と、を有することを特徴とする。
【００１０】
ここで、「引張部」とは、例えば、被記録媒体を粘着性ベルトに繰出す繰出部や、記録がなされた被記録媒体を巻き取る巻取部とすることができる。繰出部によって被記録媒体の搬送時とは逆の方向に被記録媒体を移動させることにより、また、巻取部によって被記録媒体の搬送時とは同じ方向に被記録媒体を移動させることにより、前記第１支持部側及び前記第２支持部側の少なくとも一方から引っ張ることが可能になる。  
本態様によれば、前記支持面に支持された前記被記録媒体を前記支持面から剥して前記支持面と対向する位置に浮かせることができる。このため、被記録媒体を粘着性ベルトに支持させた状態で待機することにより被記録媒体に粘着剤が貼り付くことを抑制することができる。
【００１１】
本発明の第３の態様の記録装置は、前記第１又は第２の態様において、前記制御部は、前記条件としての前記記録機構による記録終了からの経過時間に基づいて、前記被記録媒体を前記支持面から剥して前記支持面と対向する位置に浮かせるか否かを判断することを特徴とする。
【００１２】
本態様によれば、被記録媒体を粘着性ベルトに支持させた状態で待機することにより被記録媒体に粘着剤が貼り付く前記経過時間に対応して、前記被記録媒体を前記支持面から剥して前記支持面と対向する位置に浮かせることができる。このため、被記録媒体に粘着剤が貼り付くことを抑制することができる。
【００１３】
本発明の第４の態様の記録装置は、前記第３の態様において、温度センサーを備え、前記制御部は、前記温度センサーによる検出温度に基づいて、前記条件となる前記経過時間を変更することを特徴とする。
【００１４】
一般的に、温度が高いと被記録媒体に粘着剤が貼り付きやすくなるが、本態様によれば、前記温度センサーによる検出温度に基づいて、前記条件となる前記経過時間を変更することができる。このため、前記条件をより精度が高い条件とすることができる。
【００１５】
本発明の第５の態様の記録装置は、前記第３又は第４の態様において、前記制御部は、前記被記録媒体の搬送方向と交差する幅方向の長さに基づいて、前記条件となる前記経過時間を変更することを特徴とする。
【００１６】
一般的に、前記長さが長いと被記録媒体に粘着剤が貼り付きやすくなるが、本態様によれば、前記長さに基づいて、前記条件となる前記経過時間を変更することができる。このため、前記条件をより精度が高い条件とすることができる。
【００１７】
本発明の第６の態様の記録装置は、前記第３から第５のいずれか１つの態様において、前記制御部は、前記被記録媒体のうち前記支持面に支持された部分が前記記録機構により記録済の場合は、前記支持面に支持された部分が前記記録機構により未記録の場合よりも、前記条件となる前記経過時間が長くなるように変更することを特徴とする。
【００１８】
一般的に、記録がなされた被記録媒体よりも記録がなされていない被記録媒体のほうが被記録媒体に粘着剤が貼り付きやすくなるが、本態様によれば、前記被記録媒体が記録済の場合は未記録の場合よりも、前記条件となる前記経過時間が長くなるように変更する。このため、前記条件をより精度が高い条件とすることができる。
【００１９】
本発明の第７の態様の記録装置は、前記第１から第６のいずれか１つの態様において、前記剥離部は、前記被記録媒体を前記支持面と対向する位置に浮かせた際に、前記被記録媒体と前記記録機構とが非接触となるように構成されていることを特徴とする。
【００２０】
ここで、「前記被記録媒体と前記記録機構とが非接触となる」とは、インクを吐出する記録ヘッド、キャリッジ等の記録ヘッドの支持部、これらを覆うカバー部等を含む意味での前記記録機構と、前記被記録媒体とが非接触となるという意味である。  
本態様によれば、前記剥離部が前記被記録媒体を前記支持面と対向する位置に浮かせた場合においても、前記被記録媒体と前記記録機構とが非接触となる。このため、前記被記録媒体が前記記録機構と接触してこれらの少なくとも一方が損傷すること等を抑制することができる。
【００２１】
本発明の第８の態様の記録装置は、前記第１から第６のいずれか１つの態様において、前記被記録媒体を前記支持面と対向する位置に浮かせた際に、前記被記録媒体と前記記録機構との接触を抑制する接触抑制部を備えることを特徴とする。
【００２２】
ここで、「前記被記録媒体と前記記録機構との接触を抑制する」とは、インクを吐出する記録ヘッド、キャリッジ等の記録ヘッドの支持部、これらを覆うカバー部等を含む意味での前記記録機構と、前記被記録媒体との接触を抑制するという意味である。  
本態様によれば、前記剥離部が前記被記録媒体を前記支持面と対向する位置に浮かせた場合においても、前記被記録媒体と前記記録機構とが非接触となる。このため、前記被記録媒体が前記記録機構と接触してこれらの少なくとも一方が損傷すること等を抑制することができる。
【００２３】
本発明の第９の態様の記録装置は、前記第１から第８のいずれか１つの態様において、前記剥離部が前記被記録媒体を前記支持面から剥して前記支持面と対向する位置に浮かせることを報知する報知部を備えることを特徴とする。
【００２４】
本態様によれば、前記剥離部が前記被記録媒体を前記支持面から剥して前記支持面と対向する位置に浮かせることをユーザーに報知することができる。
【００２５】
本発明の第１０の態様の記録方法は、被記録媒体を粘着剤が塗られた支持面で支持して搬送可能な粘着性ベルトと、前記支持面に支持された前記被記録媒体に記録可能な記録機構と、前記支持面に支持された前記被記録媒体を前記支持面から剥して前記支持面と対向する位置に浮かせることが可能な剥離部と、を備える記録装置の待機方法であって、前記被記録媒体を前記支持面から剥して前記支持面と対向する位置に浮かせる条件に該当するか否かを判断する判断工程と、前記判断工程で前記条件に該当すると判断した場合に、前記被記録媒体を前記支持面から剥して前記支持面と対向する位置に浮かせる剥離工程と、を有することを特徴とする。
【００２６】
本態様によれば、前記条件に該当すると判断した場合に、被記録媒体を支持面から剥して支持面と対向する位置に自動で浮かせることが可能である。すなわち、前記条件を、被記録媒体を粘着性ベルトに支持させた状態で待機することにより被記録媒体に粘着剤が貼り付く条件とすることにより、被記録媒体に粘着剤が貼り付くことを抑制することができる。
【図面の簡単な説明】
【００２７】
【図１】本発明の実施例１の記録装置を表す概略側面図。
【図２】本発明の実施例１の記録装置において被記録媒体を支持面から浮かせた状態を表す概略側面図。
【図３】本発明の実施例１の記録装置を表すブロック図。
【図４】本発明の実施例２の記録装置において被記録媒体を支持面から浮かせた状態を表す概略側面図。
【図５】本発明の実施例３の記録装置において被記録媒体を支持面から浮かせた状態を表す概略側面図。
【図６】本発明の記録装置の待機方法の実施例を表すフローチャート。
【発明を実施するための形態】
【００２８】
［実施例１］（図１〜図３）  
以下に、本発明の実施例１に係る記録装置について、添付図面を参照して詳細に説明する。  
図１は本発明の実施例１に係る記録装置１の概略側面図である。
【００２９】
本実施例の記録装置１は、記録を行うための被記録媒体ＰのロールＲ１を繰り出すことが可能な繰出部２を備えている。また、粘着剤が塗られた支持面Ｆで被記録媒体Ｐを支持する粘着性ベルト１０により被記録媒体Ｐを搬送方向Ａに搬送する搬送機構３を備えている。また、被記録媒体Ｐの搬送方向Ａと交差する走査方向Ｂに記録ヘッド７を往復走査させて記録する記録機構４を備えている。また、粘着性ベルト１０の洗浄機構１５を備えている。さらに、被記録媒体Ｐを巻き取る巻取軸１７と巻き取られている被記録媒体Ｐを切断するカッター１６とを有する巻取機構１８を備えている。
【００３０】
繰出部２は、記録を行うための被記録媒体ＰのロールＲ１のセット位置を兼ねる回転軸５を備え、回転軸５にセットされたロールＲ１から従動ローラー６を介して被記録媒体Ｐを搬送機構３に繰り出すことが可能な構成となっている。なお、被記録媒体Ｐを搬送機構３に繰り出す際、回転軸５は回転方向Ｃに回転する。  
なお、従動ローラー６は、搬送方向Ａにおいて粘着性ベルト１０の支持面Ｆよりも上流側に設けられ、被記録媒体Ｐのうち支持面Ｆに繰り出す部分を支持可能な第１支持部としての役割を有している。
【００３１】
搬送機構３は、繰出部２から繰り出された被記録媒体Ｐを載置して搬送する粘着性ベルト１０と、粘着性ベルト１０を移動させる搬送ローラー８と従動ローラー９を備えている。被記録媒体Ｐは加圧ローラー１２により粘着性ベルト１０の支持面Ｆに加圧されて貼り付けられて載置される。なお、被記録媒体Ｐを搬送する際、搬送ローラー８は回転方向Ｃに回転する。なお、加圧ローラー１２は、方向Ｅに移動可能な構成となっている。
【００３２】
記録機構４は、記録ヘッド７と該記録ヘッド７を搭載する不図示のキャリッジと、該キャリッジを走査方向Ｂに往復移動させるキャリッジモーター２６（図２参照）を有している。なお、図１において走査方向Ｂは紙面に対して垂直方向である。  
記録の際、記録ヘッド７を往復走査させて記録するが、記録走査中（記録ヘッドの移動中）は、搬送機構３は被記録媒体Ｐの搬送を停止させる。別の表現をすると、記録の際、記録ヘッド７の往復走査と被記録媒体Ｐの搬送は交互に行われる。すなわち、記録の際、記録ヘッド７の往復走査に対応して、搬送機構３は被記録媒体Ｐを間欠搬送させている。  
本実施例の記録装置１では、記録ヘッド７を往復走査させて記録する記録機構４を備えているが、このような構成の記録機構に限定されず、搬送方向Ａと交差する幅方向にインクを吐出するノズル列を設けた所謂ラインヘッドを有する記録機構を備えていてもよい。
【００３３】
粘着性ベルト１０の洗浄機構１５は、複数の洗浄ローラーが回転軸方向に連結されて構成された洗浄ユニット１３と、洗浄ユニット１３を洗浄するための洗浄剤が入ったトレイ１４と、を有する。
【００３４】
巻取機構１８は、記録がなされ、従動ローラー１１を介して搬送機構３から搬送された被記録媒体Ｐを巻き取る機構であり、巻取軸１７に巻き取り用の紙管等をセットしてこれに該被記録媒体Ｐを巻き付けていくことにより、被記録媒体ＰのロールＲ２として巻き取ることができる。  
なお、従動ローラー１１は、搬送方向Ａにおいて支持面Ｆよりも下流側に設けられ、被記録媒体Ｐのうち支持面Ｆから繰り出された部分を支持可能な第２支持部としての役割を有している。
【００３５】
次に、本実施例の記録装置１における支持面Ｆに支持された被記録媒体Ｐを支持面Ｆから剥して支持面Ｆと対向する位置に浮かせることが可能な剥離部について説明する。なお、本実施例の記録装置１における剥離部は、繰出部２及び巻取機構１８により構成されている。  
図２は、本実施例の記録装置１において被記録媒体Ｐを支持面Ｆから浮かせた状態を表す概略側面図である。
【００３６】
本実施例の記録装置１では、制御部２０（図３参照）が所定の条件に該当するか否かを判断し、所定の条件に該当すると判断した場合に、被記録媒体Ｐを支持面Ｆから剥して支持面Ｆと対向する位置に浮かせることを実行するよう前記剥離部を制御する。具体的には、制御部２０は、前記判断をした場合、繰出部２の回転軸５を回転方向Ｄに所定量回転させるか、巻取機構１８の巻取軸１７を回転方向Ｃに所定量回転させるか、の少なくとも一方を実行させる。別の表現をすると、支持面Ｆに支持された被記録媒体Ｐを第１支持部側（繰出部２側）及び第２支持部側（巻取機構１８側）の少なくとも一方から引っ張るよう引張部としての繰出部２及び巻取機構１８の少なくとも一方を制御部２０は制御する。
【００３７】
このような制御部２０の制御により、図１に表される支持面Ｆに支持された被記録媒体Ｐは、図２に表されるように、支持面Ｆから剥され、支持面Ｆと対向する位置に浮かせられる。  
なお、被記録媒体Ｐが支持面Ｆと対向する位置に浮かせられた状態にあるとき、被記録媒体Ｐが記録機構４と非接触であるように、制御部２０は繰出部２の回転軸５及び巻取機構１８の巻取軸１７の少なくとも一方の回転を制御する。別の表現をすると、剥離部（繰出部２及び巻取機構１８）は、被記録媒体Ｐを支持面Ｆと対向する位置に浮かせた際に、被記録媒体Ｐと記録機構４とが非接触となるように構成されている。
【００３８】
次に、本実施例の記録装置１における電気的な構成について説明する。  
図３は、本実施例の記録装置１のブロック図である。  
制御部２０には、記録装置１の全体の制御を司るＣＰＵ２１が設けられている。ＣＰＵ２１は、システムバス２２を介して、ＣＰＵ２１が実行する各種制御プログラム等を格納したＲＯＭ２３と、データを一時的に格納可能なＲＡＭ２４と接続されている。また、ＣＰＵ２１は、システムバス２２を介して、記録ヘッド７を駆動するためのヘッド駆動部２５と接続されている。
【００３９】
また、ＣＰＵ２１は、システムバス２２を介して、キャリッジモーター２６、ベルトモーター２７、繰出モーター２８及び巻取モーター２９を駆動させるためのモーター駆動部３２と接続されている。  
ここで、キャリッジモーター２６は、記録ヘッド７を搭載したキャリッジを移動させるためのモーターである。また、ベルトモーター２７は、搬送ローラー８を駆動するためのモーターである。また、繰出モーター２８は、回転軸５の回転機構であり、被記録媒体Ｐを搬送機構３に繰り出すために回転軸５を駆動するモーターである。そして、巻取モーター２９は、巻取軸１７を回転させるための駆動モーターである。
【００４０】
また、ＣＰＵ２１は、システムバス２２を介して、被記録媒体Ｐを切断するようカッター１６を駆動させるカッター駆動部３３と接続されている。  
さらに、ＣＰＵ２１は、記録装置１に設けられたモニター３４及びコントロールパネル３５と、温度センサー３８と、湿度センサー３９と、並びに、記録データ等をＰＣ等の外部装置から入力する等のためのインターフェース３１と、データ及び信号の送受信を行うための入出力部３０と接続されている。  
また、制御部２０はタイマー３６を備えており、ＣＰＵ２１はシステムバス２２を介してタイマー３６と接続されている。
【００４１】
本実施例の記録装置１では、制御部２０は、所定の条件に該当すると判断した場合に、被記録媒体Ｐを支持面Ｆから剥して支持面Ｆと対向する位置に浮かせるよう繰出部２及び巻取機構１８の少なくとも一方を制御する。ここで、本実施例における所定の条件は、タイマー３６によって計測される記録機構４による記録終了からの経過時間に基づいて予め定められた条件である。  
また、本実施例の記録装置１は、温度センサー３８による検出温度に基づいて前記経過時間を変更する。高温の方が被記録媒体Ｐは粘着性ベルト１０に貼り付きやすいためである。このため、所定の温度以上の温度を温度センサー３８が検出すると、前記経過時間を短くする。
【００４２】
また、本実施例の記録装置１は、不図示の光学センサーにより被記録媒体Ｐの幅（搬送方向Ａと交差する幅方向Ｂの長さ）を検出可能な構成となっており、該幅に基づいて前記経過時間を変更する。該幅が広い方が被記録媒体Ｐは粘着性ベルト１０に貼り付きやすいためである。このため、所定の幅以上の幅を該光学センサーが検出すると、前記経過時間を短くする。なお、被記録媒体Ｐの幅を検出する光学センサーによる該幅の情報を用いず、ユーザーがコントロールパネル３５等から入力した被記録媒体Ｐの幅の情報を用いて前記経過時間を変更する構成としてもよい。  
さらに、本実施例の記録装置１は、湿度センサー３９による検出湿度に基づいて前記経過時間を変更することも可能である。
【００４３】
また、本実施例の記録装置１は、制御部２０によって、支持面Ｆに支持された被記録媒体Ｐに記録がなされたかどうかを判断可能である。そして、制御部２０は、被記録媒体Ｐのうち支持面Ｆに支持された部分が記録機構４により記録済の場合は、支持面Ｆに支持された部分が記録機構４により未記録の場合よりも、前記条件となる前記経過時間が長くなるように変更する。
【００４４】
また、本実施例の記録装置１は、前記剥離部が被記録媒体Ｐを支持面Ｆから剥して支持面Ｆと対向する位置に浮かせた場合、このことを報知部としてのモニター３４によりユーザーに報知する。なお、前記剥離部が被記録媒体Ｐを支持面Ｆから剥して支持面Ｆと対向する位置に浮かせたことを、ライト等の光やブザー音等の音で報知する構成としてもよい。
【００４５】
なお、本実施例の記録装置１は、被記録媒体Ｐを支持面Ｆから剥して支持面Ｆと対向する位置に浮かせる条件として経過時間を用い、タイマー３６によって計測された時間が予め定められた閾値以上となったか否かにより該条件の該当有無を判断する。しかし、このような構成に限定されず、該条件を環境温度又は環境湿度として、温度センサー３８又は湿度センサー３９によって検出された温度又は湿度が予め定められた閾値以上となったか否かにより該条件の該当有無を判断する構成としてもよい。また、制御部２０への該条件の入力を、タイマー３６、温度センサー３８及び湿度センサー３９から入力する構成のほか、ユーザーが直接コントロールパネル３５等のユーザーインターフェースを介して入力する構成でもよい。
【００４６】
［実施例２］（図４）  
次に、本発明の実施例２に係る記録装置について説明する。  
図４は、本実施例の記録装置１において被記録媒体Ｐを支持面Ｆから浮かせた状態を表す概略側面図である。なお、上記実施例と共通する構成部材は同じ符号で示しており、詳細な説明は省略する。
【００４７】
本実施例の記録装置１は、被記録媒体Ｐを支持面Ｆと対向する位置に浮かせた際に、被記録媒体Ｐと記録機構４との接触を抑制する接触抑制部３７を備える点で実施例１の記録装置１と相違する。本実施例の記録装置１は、接触抑制部３７を備えることにより、剥離部（繰出部２及び巻取機構１８）は、被記録媒体Ｐを支持面Ｆと対向する位置に浮かせた際に、被記録媒体Ｐと記録機構４とが非接触となるように構成されている。なお、本実施例の接触抑制部３７は、被記録媒体Ｐと接触しても被記録媒体Ｐを損傷させることのない弾性部材で構成されているが、特にこのような構成に限定されない。
【００４８】
［実施例３］（図５）  
次に、本発明の実施例３に係る記録装置について説明する。  
図５は、本実施例の記録装置１において被記録媒体Ｐを支持面Ｆから浮かせた状態を表す概略側面図である。なお、上記実施例と共通する構成部材は同じ符号で示しており、詳細な説明は省略する。
【００４９】
本実施例の記録装置１は、被記録媒体Ｐを支持面Ｆと対向する位置に浮かせた際の加圧ローラー１２の支持面Ｆからの離間距離が短くなるように構成されている点で実施例１の記録装置１と相違する。本実施例の記録装置１は、加圧ローラー１２の支持面Ｆからの離間距離が短いことにより、剥離部（繰出部２及び巻取機構１８）は、被記録媒体Ｐを支持面Ｆと対向する位置に浮かせた際に、被記録媒体Ｐと記録機構４とが非接触となるように構成されている。なお、本実施例の記録装置１は、被記録媒体Ｐを支持面Ｆにセットする際は、加圧ローラー１２を図２で表される実施例１の記録装置１と同様の位置まで支持面Ｆから離間させることができる。すなわち、加圧ローラー１２を３段階に移動可能である。
【００５０】
［記録装置の待機方法の実施例］（図６）  
次に、本実施例の記録装置の待機方法について説明する。  
図６は、本本実施例の記録装置の待機方法を表すフローチャートである。  
なお、本実施例の記録装置の待機方法は、上記実施例１の記録装置１を用いて行った実施例である。
【００５１】
本実施例の記録装置の待機方法では、記録装置１が記録データを入力すると、最初に、ステップＳ１１０において、被記録媒体の幅（搬送方向Ａと交差する幅方向Ｂの長さ）を計測して記録を開始する。  
次に、ステップＳ１２０において、記録装置１が入力した記録データに基づいて記録終了と判断すると、ステップＳ１３０に進み、タイマー３６を用いて記録機構４による記録終了からの経過時間の計測を開始する。
【００５２】
ステップＳ１３０で経過時間の計測を開始すると、ステップＳ１４０によって、所定のタイミングで温度センサー３８による温度検出を行い、予め定められた所定の温度以上か否かを判断する。
【００５３】
ステップＳ１４０において予め定められた所定の温度未満の場合は、ステップＳ１５０に進み、閾値となる所定の時間が経過したか否かを判断する。なお、この閾値は、ステップＳ１１０における被記録媒体の幅に基づいて変更されるとともに、支持面Ｆに支持された被記録媒体Ｐに記録がなされている場合は未記録の場合よりも長くなるように変更される。  
ステップＳ１５０において、所定の時間が経過していないと判断した場合はステップＳ１４０に戻る。
【００５４】
また、ステップＳ１４０において予め定められた所定の温度以上の場合は、ステップＳ１６０に進み、閾値となる所定の時間を短く変更する。そして、その後、ステップＳ１７０に進み、閾値となる所定の時間が経過したか否かを判断し、ステップＳ１７０を繰り返すことによって所定の時間の経過を待つ。
【００５５】
ステップＳ１５０又はステップＳ１７０で所定の時間が経過したと判断された場合は、ステップＳ１８０に進み、被記録媒体Ｐを支持面Ｆから剥して支持面Ｆと対向する位置に浮かせる動作を開始することをモニター３４に表示することによりユーザーに報知する。  
次に、ステップＳ１９０において、制御部２０が繰出部２及び巻取機構１８の少なくとも一方を制御して、被記録媒体Ｐを支持面Ｆから剥して支持面Ｆと対向する位置に浮かせ、本実施例の記録装置の待機方法を終了する。
【符号の説明】
【００５６】
１  記録装置、２  繰出部（剥離部、引張部）、３  搬送機構、４  記録機構、
５  繰出部２の回転軸、６  従動ローラー、７  記録ヘッド、
８  搬送ローラー、９  従動ローラー、１０  粘着性ベルト、
１１  従動ローラー、１２  加圧ローラー、１３  洗浄ユニット、１４  トレイ、
１５  洗浄機構、１６  カッター、１７  巻取軸、
１８  巻取機構（剥離部、引張部）、１９  表示部、２０  制御部、
２１  ＣＰＵ、２２  システムバス、２３  ＲＯＭ、２４  ＲＡＭ、
２５  ヘッド駆動部、２６  キャリッジモーター、２７  ベルトモーター、
２８  繰出モーター、２９  巻取モーター、３０  入出力部、
３１  インターフェース、３２  モーター駆動部、３３  カッター駆動部、
３４  モニター、３５  コントロールパネル、３６  タイマー、３７  接触抑制部、
３８  温度センサー、３９  湿度センサー、Ｆ  粘着性ベルトの支持面、
Ｐ  被記録媒体
【図１】
2014172692.tif 000003
【図２】
2014172692.tif 000004
【図３】
2014172692.tif 000005
【図４】
2014172692.tif 000006
【図５】
2014172692.tif 000007
【図６】
2014172692.tif 000008